(57)【要約】【課題】容易かつ確実に書類等を見つけ出すことができ、利便性が向上する発光クリップを提供する。【解決手段】発光クリップ１００は、対象物Ｐを開閉可能な開放両端にて挟み込む本体挟持部１、及び、指で把持可能なアンテナグリップ２、を備えたクリップ本体と、本体挟持部１に、開閉可能な方向とは略反対方向に発光するよう設けられた発光部６と、この発光部６に電気的に接続され、発光部６への給電を行う電源供給部１１とを有する。本体挟持部１は、断面コ字状の弾性板で形成されており、アンテナグリップ２は、本体挟持部１の開放両端にて回動可能に支持されており、発光部６は、少なくとも、本体挟持部１のうちコ字状の底部に設けられている。【選択図】図１
2011073147.tif 000002
【特許請求の範囲】
【請求項１】
対象物を開閉可能な開放両端にて挟み込む挟持部、及び、指で把持可能な把持部、を備えたクリップ本体と、
前記挟持部に、前記開閉可能な方向とは略反対方向に発光するよう設けられた発光部と、
前記発光部に電気的に接続され、前記発光部への給電を行う給電部と
を有することを特徴とする発光クリップ。
【請求項２】
請求項１記載の発光クリップにおいて、
前記挟持部は、
断面コ字状の弾性板で形成されており、
前記把持部は、
前記挟持部の開放両端にて回動可能に支持されており、
前記発光部は、
少なくとも、前記挟持部のうち前記コ字状の底部に設けられている
ことを特徴とする発光クリップ。
【請求項３】
請求項１又は請求項２記載の発光クリップにおいて、
前記挟持部の前記開放両端に設けられ、前記対象物を挟んだか否かを検出するスイッチ手段と、
前記スイッチ手段の検出結果に応じて、前記給電部による前記発光部への給電を制御する制御手段と
を有することを特徴とする発光クリップ。
【請求項４】
請求項３記載の発光クリップにおいて、
前記挟持部又は前記把持部に設けられた無線タグ回路部を有し、
前記制御手段は、
前記スイッチ手段の検出結果に応じて無線タグ回路部の動作を制御し、
前記給電部は、
前記発光部及び前記無線タグ回路部への給電を行う
ことを特徴とする発光クリップ。
【請求項５】
請求項４記載の発光クリップにおいて、
前記スイッチ手段は、
前記挟持部の前記開放両端にそれぞれ設けられた２つの電極手段であり、前記対象物を挟んでいない状態を前記２つの電極手段の短絡として検出するとともに、前記対象物を挟んだ状態を前記２つの電極手段の開放として検出する
ことを特徴とする発光クリップ。
【請求項６】
請求項４又は請求項５記載の発光クリップにおいて、
前記無線タグ回路部は、
ＩＣ回路部と、前記ＩＣ回路部に電気的に接続され情報を送受信するタグアンテナとを備えており、
前記ＩＣ回路部は、
情報を記憶する記憶部と、前記タグアンテナにより受信された情報を復調する復調部と、前記タグアンテナより送信するための情報を変調する変調部と、前記記憶部、前記復調部、及び前記変調部を含むＩＣ回路部全体に駆動電源を供給するとともに、前記発光部に給電を行う前記給電部とを備えており、
前記ＩＣ回路部の前記給電部は、
前記タグアンテナにより受信された電波のエネルギーを蓄積して、前記記憶部、前記復調部、及び前記変調部を含むＩＣ回路部全体に駆動電源を供給する
ことを特徴とする発光クリップ。
【発明の詳細な説明】
【技術分野】
【０００１】
本発明は、対象物を挟み込むための、発光クリップに関する。
【背景技術】
【０００２】
主に複数枚の紙を重ねてまとめたり、比較的小型の物品を固定したりするための簡易な道具の一つとしてクリップがある。近年では多様な形態のクリップが市販・流通しているが、そのうちの一つの形態として薄板金属を折り曲げて形成し、その弾性を利用して挟持力を持たせた形態のクリップがある（例えば、特許文献１参照）。
【先行技術文献】
【特許文献】
【０００３】
【特許文献１】実用新案登録第３１１９０６４号公報
【発明の概要】
【発明が解決しようとする課題】
【０００４】
しかしながら、比較的枚数の少ない書類等はその厚さが薄いため、上記のようなクリップで挟んだ後、大型の書籍やファイルバインダーの間に差し込むように保管した場合には、全体が目立たなくなって後で見つけるのが困難となることが多い。当該書類をまとめているクリップ自体が金属製で光沢があっても、照明がなく周囲が暗い場合などにはやはり見つけることが難しい。
【０００５】
本発明の目的は、容易かつ確実に書類等を見つけ出すことができ、利便性を向上できる発光クリップを提供することにある。
【課題を解決するための手段】
【０００６】
上記目的を達成するために、第１の発明は、対象物を開閉可能な開放両端にて挟み込む挟持部、及び、指で把持可能な把持部、を備えたクリップ本体と、前記挟持部に、前記開閉可能な方向とは略反対方向に発光するよう設けられた発光部と、前記発光部に電気的に接続され、前記発光部への給電を行う給電部とを有することを特徴とする。
【０００７】
本願第１発明の発光クリップは、クリップ本体を備えている。クリップ本体は、一般的なクリップと同様、挟持部と把持部とを備えている。挟持部の開閉可能な開放両端に、対象物が挟み込まれる。把持部は、指により把持可能である。
【０００８】
そして、本願第１発明では、上記挟持部の対象物を挟み込む側と反対側に、開閉可能な方向と略反対方向に発光するように、発光部を設けている。この発光部に対し、給電部から発光のための給電が行われる。これにより、操作者が、挟持部に例えば書類やファイルなどの対象物を挟み込んだ後に当該書類等を棚などに収納した場合でも、上記発光部が挟み込み側と反対側において発光し、操作者に対し視覚的な報知を行うことができる。これにより、操作者は、容易かつ確実に当該書類等を見つけ出すことができ、利便性が向上する。
【０００９】
第２発明は、上記第１発明において、前記挟持部は、断面コ字状の弾性板で形成されており、前記把持部は、前記挟持部の開放両端にて回動可能に支持されており、前記発光部は、少なくとも、前記挟持部のうち前記コ字状の底部に設けられていることを特徴とする。
【００１０】
本願第２発明においては、挟持部が断面コ字状の弾性板で構成されている。対象物を挟み込むときは、回動可能に支持された把持部からの力により挟持部の開放両端が開く。
【００１１】
そして、操作者が、上記のように開いた挟持部の開放両端から、コ字状の内部に例えば書類やファイルなどの対象物を挟み込んだ後でも、挟持部のコ字状の底部において発光部が発光することで、操作者に対し確実に視覚的な報知を行うことができる。
【００１２】
第３発明は、上記第１又は第２発明において、前記挟持部の前記開放両端に設けられ、前記対象物を挟んだか否かを検出するスイッチ手段と、前記スイッチ手段の検出結果に応じて、前記給電部による前記発光部への給電を制御する制御手段とを有することを特徴とする。
【００１３】
これにより、操作者によってクリップが使用されるまでは発光部は発光を行わず、操作者が対象物を挟持部に挟み込みクリップの使用が開始されると発光部が発光する。これにより、使用前の無駄な電源消費を防止することができる。
【００１４】
第４発明は、上記第３発明において、前記挟持部又は前記把持部に設けられた無線タグ回路部を有し、前記制御手段は、前記スイッチ手段の検出結果に応じて無線タグ回路部の動作を制御し、前記給電部は、前記発光部及び前記無線タグ回路部への給電を行うことを特徴とする。
【００１５】
これにより、操作者によってクリップが使用されるまでは、無線タグ回路部が作動せずに発光部も発光を行わない。操作者が対象物を挟持部に挟み込みクリップの使用が開始されると、無線タグ回路部が作動するとともに発光部が発光することが可能になる。これにより、使用前の無駄な電源消費をさらに確実に防止することができる。また、クリップの未使用時においては無線タグ回路部が作動しないことより、使用していないクリップの無線タグが誤動作し応答するのを防止することができる。
【００１６】
第５発明は、上記第４発明において、前記スイッチ手段は、前記挟持部の前記開放両端にそれぞれ設けられた２つの電極手段であり、前記対象物を挟んでいない状態を前記２つの電極手段の短絡として検出するとともに、前記対象物を挟んだ状態を前記２つの電極手段の開放として検出することを特徴とする。
【００１７】
本願第５発明においては、クリップを使用するために操作者が把持部を把持するまでは２つの電極が接触しており、その短絡状態によってスイッチ手段が対象物の非狭持状態を検出する。そして、操作者がクリップを使用する際に把持部を把持し、その力が狭持部の開放両端に作用することで２つの電極が離間すると、スイッチ手段はその開放状態によって対象物の狭持状態を検出することができる。
【００１８】
第６発明は、上記第４又は第５発明において、前記無線タグ回路部は、ＩＣ回路部と、前記ＩＣ回路部に電気的に接続され情報を送受信するタグアンテナとを備えており、前記ＩＣ回路部は、情報を記憶する記憶部と、前記タグアンテナにより受信された情報を復調する復調部と、前記タグアンテナより送信するための情報を変調する変調部と、前記記憶部、前記復調部、及び前記変調部を含むＩＣ回路部全体に駆動電源を供給するとともに、前記発光部に給電を行う前記給電部とを備えており、前記ＩＣ回路部の前記給電部は、前記タグアンテナにより受信された電波のエネルギーを蓄積して、前記記憶部、前記復調部、及び前記変調部を含むＩＣ回路部全体に駆動電源を供給することを特徴とする。
【００１９】
これにより、無線タグ回路部内に自己電源を持たなくても、受信された電波のエネルギーを用いて発光部に給電を行い、発光させることができる。
【発明の効果】
【００２０】
本発明によれば、容易かつ確実に書類等を見つけ出すことができ、利便性を向上することができる。
【図面の簡単な説明】
【００２１】
【図１】本発明の実施形態に係る発光クリップの全体外観を表す斜視図、及び、図１（ａ）中の矢印Ａから見た矢視図である。
【図２】使用前の状態の発光クリップを表す、図１（ａ）中の矢印Ｂから見た矢視図、及び、図１（ａ）中の矢印Ｃから見た矢視図である。
【図３】使用中の状態の発光クリップを表す、図１（ａ）中の矢印Ｂから見た矢視図、及び図１（ａ）中の矢印Ｃから見た矢視図である。
【図４】ＩＣ回路部とその周辺回路の機能的構成を表す機能ブロック図である。
【図５】発光クリップの使用例を示す説明図である。
【図６】ループアンテナを備えた変形例における、発光クリップの外観を表す斜視図である。
【図７】スイッチをアンテナと直列に設けた変形例における、ＩＣ回路部とその周辺回路の機能的構成を表すブロック図である。
【図８】発光部への給電を直接切り替え可能なスイッチ部を設けた変形例における、ＩＣ回路部とその周辺回路の機能的構成を表すブロック図である。
【図９】自己給電可能な電源供給部を備えた変形例における、ＩＣ回路部とその周辺回路の機能的構成を表すブロック図である。
【発明を実施するための形態】
【００２２】
以下、本発明の一実施の形態を、図面を参照しつつ説明する。
【００２３】
まず、本実施形態の発光クリップの構造を、図１〜図３により説明する。図１（ａ）は、本実施形態の発光クリップの全体の外観を示す斜視図であり、図１（ｂ）は図１（ａ）中の矢印Ａから見た矢視図である。また、図２（ａ）は使用前の状態の発光クリップの外観を表す、図１（ａ）中の矢視Ｂから見た矢視図であり、図２（ｂ）は図１（ａ）中の矢視Ｃから見た矢視図である。また、図３（ａ）は使用中の状態の発光クリップの外観を表す、図１（ａ）中の矢視Ｂから見た矢視図であり、図３（ｂ）は図１（ａ）中の矢視Ｃから見た矢視図である。
【００２４】
これら図１〜図３において、本実施形態の発光クリップ１００は、例えば書類やクリアファイル等の対象物Ｐを挟み込む狭持部としての本体挟持部１と、操作者が指で把持可能な把持部としての２つのアンテナグリップ２，２と、２つの内側カバー３，４と、発光部６と、ＩＣ回路部７とを有している。
【００２５】
本体挟持部１は、１枚の弾性変形可能な金属薄板を折り曲げた弾性板により構成されており、その断面形状は、通常時は略コ字状（図２（ａ）参照）となっている。本体狭持部１の弾性板の両端に位置するロール部１ｂに対し、アンテナグリップ２，２の基部が回動可能に取り付けられており、操作者がアンテナグリップ２，２を把持することで、当該ロール部１ｂが弾性的に開閉可能となっている。使用時には、図３（ａ）に示すように、上記ロール部１ｂが開かれて開放部１ａが開放され、その開放部１ａ内に対象物が挟み込まれる。ロール部１ｂより中央側の２箇所には、切り欠き１ｃが形成されている。
【００２６】
アンテナグリップ２は、例えば１本の金属線を折り曲げて作成されている。アンテナグリップ２の両端部分は、上記本体挟持部１のロール部１ｂの２箇所の切り欠き位置でそれぞれ略直角に曲がって当該ロール部１ｂの内部に挿入されており、それ以外の露出部分がロール部１ｂに向かって開放する半環状に形成されている。ロール部１ｂに挿入されているアンテナグリップ２の両端部分は一直線上に配置されているため、当該アンテナグリップ２全体がそれら両端部分を中心として回動可能となっている。
【００２７】
そして、２つのアンテナグリップ２，２がそれぞれ上記本体挟持部１の略コ字状の側辺部に隣接する回動位置にあるとき（図２（ａ）及び図２（ｂ）参照）、当該２つのアンテナグリップ２，２を互いに近づけるように指で挟み込むことで、本体挟持部１が上記開放部１ａを開く（図３（ａ）及び図３（ｂ）参照）。当該本体挟持部１は、この開放部１ａにより対象物Ｐを挟持することができる。また、本実施形態においてこれら２つのアンテナグリップ２は、後述するように、ＩＣ回路部７に電気的に接続されて無線通信用のタグアンテナとしても機能する（後述の図４参照）。なお、２つのアンテナグリップ２と本体挟持部１とで、各請求項記載のクリップ本体を構成する。
【００２８】
２つの内側カバー３，４は、それぞれ絶縁材料から成る薄板であり、上記本体挟持部１のコ字状における側辺の内側にそれぞれ固着されている。また一方の内側カバー３の内部には、上記ＩＣ回路部７が設けられている。また、本体挟持部１のコ字状の開放部１ａ側で、２つの内側カバー３，４の縁部が互いに接触する。これら内側カバー３，４の縁部には、当該縁部の接触を利用して狭持部１による対象物の挟み込みを検出する、スイッチ手段としての第１スイッチ部ＳＷが設けられている。
【００２９】
第１スイッチ部ＳＷ１は、一方の電極手段としての２つの接触端子５ａ，５ｂと、他方の電極手段としての１つの接続バー５ｃとを有している。２つの接触端子５ａ，５ｂは、内側カバー３上の縁部に並べて設けられている（図２（ｂ）、図３（ｂ）参照）。これら２つの接触端子５ａ，５ｂは、互いに絶縁状態を維持できる程度に離間した配置でそれぞれＩＣ回路部７に接続されている。接続バー５ｃは、内側カバー４上の縁部に設けられている。この接続バー５ｃは、開放部１ａが閉じている通常状態では上記２つの接触端子５ａ，５ｂが電気的に短絡するように配置されている（図２（ｂ）参照）。そして、図３（ａ）及び図（ｂ）に示すような使用状態において、開放部１ａが開かれ、書類のような絶縁体の対象物Ｐを本体挟持部１が挟持すると、２つの接触端子５ａ，５ｂが接続バー５ｃから離間して電気的な短絡が開放されるのである。
【００３０】
発光部６は、この例では矩形形状に形成されており、図１（ｂ）や図２（ａ）等に示すように、上記本体挟持部１の略コ字状における底部に、開放部１ａと反対側に向けて発光するように配置されている。なお、狭持部１のうち底部以外の箇所にさらに追加して発光部を設けてもよい。この発光部６は、例えば公知の有機エレクトロルミネッセンス発光素子（以下、有機ＥＬ素子という）を用いることができる。詳細な図示を省略するが、有機ＥＬ素子は、発光層と、発光層の一方側に設けられる陰極層と、発光層の他方側に設けられる陽極層とを含む。
【００３１】
発光層は、有機ＥＬを含む層であり、陰極層と陽極層との間に電圧が印加されることで発光する。有機ＥＬとしては、例えばポリパラフェニレンビニレン誘導体、ポリフルオレン誘導体、ポリチオフェン誘導体等の高分子発光材料、及び、テトラフェニルブタジエン（ＴＰＢ）、ペリレン、クマリン、ルブレン、ナイルレッド、４−ジシアノメチレン−２−メチル−６−ジメチルアミノスチリル−４−ピラン（ＤＣＭ）、４−ジシアノメチレン−６−シーピージュロリジノスチリル−２−ターシャルブチル−４Ｈ−ピラン（ＤＣＪＴＢ）、スクアリリウム、アルミニウム錯体（例えばＡｌＱ３）等の低分子系材料を用いることができる。
【００３２】
なお、発光層の陰極層に接する面には、図示されない電子注入層が設けられる。電子注入層は、オキサジゾール誘導体、トリアゾール系、及びアルミニウム錯体のいずれかを用いることができる。
【００３３】
陰極層は、例えばアルミニウム（Ａｌ），フッ化リチウム（ＬｉＦ），ＡｌとＣａとの積層，ＡｌとＬｉＦとの積層及びＡｌとＢａとの積層等で構成することができる。陰極層は、陰極層と陽極層との間に電圧が印加されることで、上記電子注入層を介して発光層に電子を注入する。
【００３４】
陽極層は、例えば透明電極用の材料であるインジウムチタンオキサイド（ＩＴＯ）又はポリエチレンジオキシチオフェン（ＰＥＤＯＴ）で構成することができる。陽極層は、陰極層と陽極層との間に電圧が印加されることで、発光層に正孔を注入する。
【００３５】
そしてこれら陰極層と陽極層が、特に図示しない配線を介して上記ＩＣ回路部７に電気的に接続されている。
【００３６】
ＩＣ回路部７は、上記２つのアンテナグリップ２，２を介して後述するリーダと無線通信を行い、自己が記憶しているタグ識別情報（以下、タグＩＤという）を含む信号を受信した際に、後述の制御部１４の制御により上記発光部６が発光する。
【００３７】
図４は、ＩＣ回路部７とその周辺回路の機能的構成を表すブロック図である。
【００３８】
ＩＣ回路部７は、給電部としての電源供給部１１と、復調部１２と、変調部１３と、制御手段としての制御部１４とを備えている。またこのＩＣ回路部７には、コンデンサ１６（図１〜図３では図示省略）と、上記第１スイッチ部ＳＷ１と、上記アンテナグリップ２とが、並列に接続されている。なお、図４においては、アンテナグリップ２をコイルのシンボルで表している。また、発光部６は、制御部１４と電気的に接続されており、制御部１４が第１スイッチ部ＳＷの検出結果に基づき制御部１４から出力される制御信号に基づき、発光及び消光を切り替える。
【００３９】
電源供給部１１は、この例ではアンテナグリップ２を介して受信した質問波のエネルギーを蓄積し、そのエネルギーをＩＣ回路部７及び発光部６の駆動電源とする無線給電を行う。すなわち、本実施形態では、ＩＣ回路部７及びアンテナグリップ２は、いわゆるパッシブタグとして機能するものである。
【００４０】
制御部１４は、上記復調部１２及び変調部１３等を介し、上記ＩＣ回路部７の作動を制御するとともに、当該ＩＣ回路部７の外部に設けた発光部６の発光及び消光の切り替えを制御する。
【００４１】
復調部１２は、アンテナグリップ２により受信された、後述のリーダのリーダアンテナからの質問波を復調する（後述の図５参照）。
【００４２】
変調部１３は、上記制御部１４からの返信信号を変調し、アンテナグリップ２より応答波、すなわちタグＩＤを含む信号として、送信する。
【００４３】
制御部１４は、その内部に所定の情報信号を記憶する記憶部１５を備えており、この記憶部には当該ＩＣ回路部７の個体を特定するためのタグＩＤを記憶するＩＤ記憶領域１５ａが設けられている。この制御部１４は、上記復調部１２により復調された受信信号を解釈し、上記記憶部１５において記憶された情報信号に基づいて返信信号を生成する。そして、上記変調部１３が、当該返信信号を上記アンテナグリップ２を介し送信する。また、制御部１４は、自己のタグＩＤが含まれている質問波の受信信号を上記復調部１２から受け取った際には、給電部１１からの電力を発光部６に導き発光させるような給電制御を行う。
【００４４】
また、ＩＣ回路部７の外部に接続しているコンデンサ１６は、アンテナグリップ２が電波を受信した際に発生するノイズを除去するためのバイパスコンデンサとして機能する。
【００４５】
第１スイッチ部ＳＷ１は、上述したように本体挟持部１の開放部１ａが閉じている通常状態では上記２つの接触端子５ａ，５ｂが電気的に接続した導通状態となる（図２参照）。このとき、アンテナグリップ２は当該第１スイッチ部ＳＷ１により短絡されて電波を送受信する機能を失う。前述したようにＩＣ回路部７はパッシブタグとして機能するため、電波が受信されなければ給電部１１から制御部１４等への給電が行われず、制御部１４が給電部１１からの電力を発光部６に導くことはできない。一方、上記本体挟持部１の開放部１ａが開いている使用時では、上記２つの接続端子５ａ，５ｂが電気的に絶縁した遮断状態となる（図３参照）。このとき、アンテナグリップ２は電波を送受信することができる。電波が受信されれば給電部１１から制御部１４等への給電が行われるので、制御部１４が給電部１１からの電力を発光部６に導くことが可能となる。以上の結果、制御部１４は、第１スイッチ部ＳＷ１が導通状態であるか遮断状態であるかに応じ、本体挟持部１が対象物を挟んだら給電部１１から得た電力により無線タグ回路部２１の動作を制御するとともに制御部１４の制御に基づいて発光部６への給電を実行し、本体挟持部１が対象物を挾まなかったら無線タグ回路部２１の制御を中止するともに発光部６への給電を停止する、というタグ制御と給電制御とを実行することになる。
【００４６】
そして以上の構成のＩＣ回路部７とアンテナグリップ２とで、無線タグ回路部２１を構成する。このように構成した本実施形態の発光クリップ１００は、例えば複数枚の書類からなる対象物Ｐを本体挟持部１に挟み込ませてまとめることができ、その際には無線タグ回路部２１が無線通信可能な状態になるとともに、発光部６の発光及び消光を制御可能な状態となる。
【００４７】
そして、例えばこのようにまとめられた複数組の対象物Ｐを並べて立てかけると、図５に示すような状態となる。この状態では、通常の場合、図中の手前側から見てどれがどの対象物Ｐであるか見分けることが困難である。しかし、上記無線タグ回路部２１と無線通信が可能なリーダ２００を用いて、目的の対象物Ｐに対応するタグＩＤを含む質問波をリーダアンテナ２０１から送信することにより、当該タグＩＤに対応する発光クリップ１００の発光部６だけを発光させて容易に識別することができる。
【００４８】
又は、特に図示しないが、発光クリップ１００を挟み込ませた単独の紙書類からなる対象物Ｐを、例えば大型の書籍やファイルバインダー等の間の隙間に差し込むように保管した場合でも、容易にその保管場所の視認することができる。つまり、同様にして目的の対象物Ｐに対応するタグＩＤを含む質問波をリーダ２００から送信するだけで、照明がなく周囲が暗い場合でも、容易に発光クリップ１００を視認して見つけることができる。
【００４９】
以上説明したように、本実施形態によれば、操作者は、容易かつ確実に対象物Ｐを見つけ出すことができるので、利便性が向上する。特に、本体挟持部１の底部に発光部６が設けられているので、本体挟持部１のコ字状の内部に対象物Ｐを挟み込んだ後でも、操作者に対し確実に視覚的な報知を行うことができる。
【００５０】
また、この実施形態では特に、第１スイッチＳＷの検出結果に応じて制御部１４が発光制御を行い、操作者によって発光クリップ１００が使用されるまでは発光部６は発光を行わず、操作者が対象物Ｐを本体挟持部１に挟み込み発光クリップ１００の使用が開始されると発光部６が発光する。これにより、使用前の無駄な電源消費を防止することができる。また、発光クリップ１００の未使用時においては無線タグ回路部２１が作動しないことより、使用していない発光クリップ１００の無線タグ回路部２１が誤動作し応答するのを防止することもできる。なお、対象物Ｐを挟み込んでいる発光クリップ１００の無線タグ回路部２１が、その記憶部１５に当該対象物Ｐに関する情報を記憶できる場合には、リーダ２００との間でその情報を送受信し、情報管理することもできる。
【００５１】
また、この実施形態では特に、電源供給部１１は、アンテナグリップ２により受信された電波のエネルギーを蓄積してＩＣ回路部７全体及び発光部６に駆動電源を供給する無線給電を行う。これにより、無線タグ回路部２１内に自己電源を持たなくても、受信された電波のエネルギーを用いて発光部６に給電を行い、発光させることができる。
【００５２】
なお、本発明は、上記に限られるものではなく、その趣旨及び技術的思想を逸脱しない範囲内で種々の変形が可能である。以下、そのような変形例を順を追って説明する。
【００５３】
（１）把持部とは別にタグアンテナを設ける場合
上記実施形態においては、アンテナグリップ２がＩＣ回路部７に接続して無線通信を行うタグアンテナとして機能していたが、本発明はこれに限られない。例えば、上記図１（ａ）に対応する図６に示すように、ＩＣ回路部７が設けられている方の内側カバー３の接触縁部を延長して形成し、この延長部分３ａに適宜の長さのループアンテナ１７を配設してＩＣ回路部７に接続することでタグアンテナを構成してもよい。この場合、上記実施形態の２つのアンテナグリップ２に対応する２つのグリップ２Ａが、各請求項記載の把持部に相当し、これら２つのグリップ２Ａと本体挟持部１とで、グリップ本体を構成する。この発光クリップ１００Ａの場合には、無線タグ回路部２１が送受信する電波の周波数が比較的低い場合でも、それに対応してタグアンテナの長さを十分に確保できる。
【００５４】
（２）スイッチ部の他の構成
上記実施形態では、第１スイッチ部ＳＷ１が、ＩＣ回路部２１に対してアンテナグリップ２と並列に接続されていた。そして、第１スイッチ部ＳＷ１が導通状態となりアンテナグリップ２を短絡することで無線タグとしての機能を失わせ、第１スイッチ部ＳＷ１が遮断状態となることで無線タグとしての機能を実行し、かつ発光部６及びＩＣ回路部７への給電を行っていたが、本発明はこれに限られない。
【００５５】
例えば、上記図４に対応する図７に示すように、上記第１スイッチ部ＳＷ１の代わりに、ＩＣ回路部２１に対してアンテナグリップ２と直列に接続される第２スイッチ部ＳＷ２を、スイッチ手段として発光クリップ１００に設けてもよい。
【００５６】
第２スイッチ部ＳＷ２は、詳細な構造の図示を省略するが、本体挟持部１の開放部１ａが開かれると、適宜の機構を介して導通状態となる。これにより、ＩＣ回路部２１とアンテナグリップ２が導通する。また、本体挟持部１の開放部１ａが閉じられると第２スイッチ部ＳＷ２は適宜の機構を介して遮断状態となる。なお、例えば第２スイッチ部ＳＷ２としては、公知のスイッチング素子を用いることもできる。これにより、本変形例においても、前述と同様、制御部１４は、第２スイッチ部ＳＷ２が導通状態であるか遮断状態であるかに応じ、本体挟持部１が対象物を挟んだら給電部１１から得た電力により無線タグ回路部２１の動作を制御するとともに発光部６への給電を実行し、本体挟持部１が対象物を挾まなかったら無線タグ回路部２１の制御を中止するともに発光部６への給電を停止する、というタグ制御と給電制御とを実行することになる。
【００５７】
本変形例によっても、上記実施形態と同様の効果を得る。
【００５８】
（３）発光部への給電を直接切り替え可能なスイッチ部を設ける場合
さらに、図８に示すように、上記（２）の変形例の第２スイッチ部ＳＷ２を、制御部１４から発光部６までの給電経路に設けてもよい。この場合も、第２スイッチ部ＳＷ２は、詳細な構造の図示を省略するが、本体挟持部１の開放部１ａが開かれると、適宜の機構を介して導通状態となる。これにより、制御部１４と発光部６とが導通し、給電可能となる。また、本体挟持部１の開放部１ａが閉じられると第２スイッチ部ＳＷ２は適宜の機構を介して遮断状態となる。これにより、制御部１４と発光部６との導通が遮断され、給電不可能となる。したがって、本変形例においては、結果として、制御部１４は、第２スイッチ部ＳＷ２が導通状態であるか遮断状態であるかに応じ、本体挟持部１が対象物を挟んだら給電部１１から得た電力により発光部６への給電を実行し、本体挟持部１が対象物を挾まなかったら発光部６への給電を停止する、という給電制御とを実行することになる。
【００５９】
本変形例においては、本体挟持部１の開放部１ａが閉じられているか開かれているかに関係なく、無線タグ回路部２１は常にリーダ２００と無線通信が可能となる。その一方で、発光部６は、上記したように、発光クリップ１００が使用時の状態であるときだけ給電が許容される。これにより、発光部６への給電・給電停止の切り替えと、無線タグ回路部２１の作動・不作動の切り替えと、を分けて制御することができる。
【００６０】
（４）自己給電可能な電源供給部を備える場合
上記実施形態では、受信した質問波のエネルギーを蓄積してＩＣ回路部７及び発光部６の駆動電源とする、無線給電型の電源供給部１１を備えていたが、本発明はこれに限られない。
【００６１】
例えば、上記図４に対応する図９に示すように、ＩＣ回路部７内に備える電源供給部１１Ａを、自己給電可能な内蔵電池で構成してもよい。この場合、無線タグ回路部２１は、リーダ２００との無線通信の有無にかかわらず無線タグ回路部２１が常に作動可能となる、いわゆるアクティブタグとして機能する。
【００６２】
本変形例においては、リーダ２００との無線通信の有無にかかわらず、電源供給部１１Ａから供給される電力を用いて、前述した制御部１４の制御により発光部６を発光させることができる。
【００６３】
（５）その他、
上記において、前述の実施形態や図７を用いて説明した（２）の変形例ではスイッチ部によってアンテナの機能をＯＮ・ＯＦＦし、図８を用いて説明した（３）の変形例ではスイッチ部によって発光部への給電機能をＯＮ・ＯＦＦしたが、これらに限られない。すなわち、図４等に機能ブロックで示すＩＣ回路部７内のいずれかの機能を、適宜のスイッチ部によってＯＮ・ＯＦＦするようにしてもよい。あるいはＩＣ回路部７全体をＯＮ・ＯＦＦするようにしてもよい。
【００６４】
なお、以上において、図４、図７、図８、図９等の各図中に示す矢印は信号の流れの一例を示すものであり、信号の流れ方向を限定するものではない。
【００６５】
また、以上既に述べた以外にも、上記実施形態や各変形例による手法を適宜組み合わせて利用しても良い。
【００６６】
その他、一々例示はしないが、本発明は、その趣旨を逸脱しない範囲内において、種々の変更が加えられて実施されるものである。
【符号の説明】
【００６７】
１                本体挟持部（挟持部）
２                アンテナグリップ（把持部；タグアンテナ）
２Ａ              グリップ（把持部）
３，４            内側カバー
６                発光部
７                ＩＣ回路部
１１              無線給電型の電源供給部（給電部）
１１Ａ            内蔵電池型の電源供給部（給電部）
１５              記憶部
２１              無線タグ回路部
１００            発光クリップ
２００            リーダ
ＳＷ１            第１スイッチ部（スイッチ手段）
ＳＷ２            第２スイッチ部（スイッチ手段）
【図１】
2011073147.tif 000003
【図２】
2011073147.tif 000004
【図３】
2011073147.tif 000005
【図４】
2011073147.tif 000006
【図５】
2011073147.tif 000007
【図６】
2011073147.tif 000008
【図７】
2011073147.tif 000009
【図８】
2011073147.tif 000010
【図９】
2011073147.tif 000011